Podtech/llm-jp-corpus-v4-ja_patent huggingface dataset:
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
細胞の細胞老化を評価、判断、監視および／または予測するための生体外方法であって、前記細胞上の少なくとも１種の細胞表面栄養輸送体の発現レベルを測定する工程を含む、方法。
【請求項２】
測定した発現レベルを基準発現レベルと比較する工程をさらに含む、請求項１に記載の生体外方法。
【請求項３】
前記少なくとも１種の細胞表面栄養輸送体はＸＰＲ１および／またはＧＬＵＴ１、好ましくはＸＰＲ１である、請求項１または請求項２に記載の生体外方法。
【請求項４】
前記細胞は動物細胞、好ましくはヒトまたはウマの細胞である、請求項１〜３のいずれか１項に記載の生体外方法。
【請求項５】
前記細胞は幹細胞、好ましくは成体幹細胞、より好ましくはＭＳＣであり、但し、前記細胞はヒト胚性幹細胞ではない、請求項１〜４のいずれか１項に記載の生体外方法。
【請求項６】
前記発現レベルはＲＮＡレベルで、好ましくはＲＴ−ＰＣＲ、ＲＴ−ｑＰＣＲ、ノーザンブロットおよび／またはハイブリダイゼーション法によって、評価される、請求項１〜５のいずれか１項に記載の生体外方法。
【請求項７】
前記発現レベルはタンパク質レベルで評価され、好ましくは、少なくとも１種の細胞表面栄養輸送体の発現レベルの測定は、前記細胞表面上の前記少なくとも１種の細胞表面栄養輸送体の検出および定量化に対応している、請求項１〜５のいずれか１項に記載の生体外方法。
【請求項８】
前記細胞表面上の少なくとも１種の細胞表面栄養輸送体の前記検出および定量化は、細胞表面栄養輸送体へのリガンドの結合の検出および／または定量化に対応し、好ましくは、前記リガンドは抗体であるか、またはエンベロープウイルスの糖タンパク質の可溶性部分に由来する受容体結合ドメイン（ＲＢＤ）の一部または全体を含む受容体結合ドメイン（ＲＢＤ）リガンドである、請求項７に記載の生体外方法。
【請求項９】
前記ＲＢＤはＸｅｎｏ．ＲＢＤであり、配列番号１のアミノ酸配列またはその断片を含むか、あるいは配列番号１のアミノ酸配列またはその断片からなる、請求項８に記載の生体外方法。
【請求項１０】
細胞群の品質を評価するための、好ましくは再生医療または生体外スクリーニングアッセイで使用される細胞群の品質を評価するための、請求項１〜９のいずれか１項に記載の生体外方法。
【請求項１１】
細胞老化または老化のバイオマーカーとしての、および／または細胞分裂の累積のバイオマーカーとしての、好ましくは細胞の増殖能および／または分化能のバイオマーカーまたは細胞の幹細胞性のバイオマーカーとしての、あるいは細胞群、特に再生医療または生体外スクリーニングアッセイで使用される細胞群、の品質のバイオマーカーとしての、細胞表面栄養輸送体、好ましくはＸＰＲ１および／またはＧＬＵＴ１、の使用。
【請求項１２】
少なくとも１種の細胞表面栄養輸送体の発現レベルを決定または測定する工程を含む、細胞老化に影響を与える化合物を同定するためのスクリーニング方法。
【請求項１３】
前記少なくとも１種の細胞表面栄養輸送体はＸＰＲ１および／またはＧＬＵＴ１、好ましくはＸＰＲ１である、請求項１２に記載のスクリーニング方法。
【請求項１４】
少なくとも１種の細胞表面栄養輸送体の発現レベルを決定または測定するための手段を含む、請求項１〜１０のいずれか１項に記載の生体外方法または請求項１２または１３のいずれか１項に記載のスクリーニング方法を実施するためのキット。
【請求項１５】
少なくとも１種の細胞表面栄養輸送体の発現レベルを決定または測定するための前記手段は、前記少なくとも１種の細胞表面栄養輸送体に特異的なＰＣＲプライマー対、前記少なくとも１種の細胞表面栄養輸送体に特異的な抗体および／または前記少なくとも１種の細胞表面栄養輸送体に特異的なＲＢＤである、請求項１４に記載のキット。
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
用量カートリッジから放出される少なくとも１種の原薬を吸入ユーザに送達するための吸入装置であって：
前記ユーザが吸入するマウスピースの近位開口部に搬送気流を導くための第１導管；
前記第１導管の前記搬送気流内でホルダによって定められる用量カートリッジ位置に前記用量カートリッジを配置するように構成されたホルダ；
分流気流を用量カートリッジ位置に通過させることなく前記マウスピースに前記分流気流を導くために前記第１導管に空気圧で連結された第２導管；ならびに
前記第１及び第２導管の少なくとも１つの中にある少なくとも１つの弁；
が備えられ、
前記吸入ユーザによって生成された陰圧に応答して、搬送気流の流量率を制御する弁コントローラによって、前記少なくとも１つの弁が操作される、吸入装置。
【請求項２】
前記搬送気流の流量率を示す少なくとも１種のパラメータを検出するように配置及び構成された少なくとも１つのセンサを備える、請求項１に記載の吸入装置。
【請求項３】
前記弁コントローラは、前記少なくとも１つのセンサからの前記搬送気流の流量率の指示を受信して前記搬送気流の流量率の指示及び前記搬送気流の目標プロファイルに基づいて前記少なくとも１つの弁を操作するように機能的に接続する、請求項２に記載の吸入装置。
【請求項４】
前記パラメータには、前記第２導管が少なくとも部分的に閉鎖している間に感知された前記搬送気流の流量率が含まれる、請求項３に記載の吸入装置。
【請求項５】
前記弁コントローラは前記目標プロファイルと、前記第２導管が少なくとも部分的に閉鎖している間に感知された前記搬送気流の流量率との間の差に基づいて前記少なくとも１つの弁を操作するように構成されている、請求項３または請求項４に記載の吸入装置。
【請求項６】
前記弁コントローラは前記搬送気流の流量率の、受信された前記指示に基づいて前記目標プロファイルを部分変更するように構成されている、請求項３〜５のいずれか一項に記載の吸入装置。
【請求項７】
前記少なくとも１つの弁は：吸入の流量率、前記用量カートリッジ位置を通る流量率、及び検出又は推定イベントから定められた時間の１つ以上に基づいて前記弁コントローラによって操作できる、請求項１〜６のいずれか一項に記載の吸入装置。
【請求項８】
前記第１導管を通る搬送気流に影響を与えるように配置されたファンと、
センサからの搬送気流の流量率の指示及び前記搬送気流の目標プロファイルに基づいて、前記ファンを作動して気流を誘起するために機能的に接続されるファンコントローラと、を備える、請求項１〜７のいずれか一項に記載の吸入装置。
【請求項９】
前記第１導管を通る前記搬送気流の少なくとも９０％が前記用量カートリッジを通過するように、前記ホルダは前記用量カートリッジを位置決めする、請求項１〜８のいずれか一項に記載の吸入装置。
【請求項１０】
前記第２導管は前記用量カートリッジ位置と前記マウスピースの前記近位開口部との接合部で少なくとも前記第１導管に接続している、請求項１〜９のいずれか一項に記載の吸入装置。
【請求項１１】
前記少なくとも１種の原薬を収容する薬剤用の前記用量カートリッジの材料を加熱し、前記材料から前記少なくとも１種の原薬を気化させるように構成された加熱アセンブリが備えられ、放出された蒸気が前記第１導管に流入し、前記搬送気流に混入し、
前記加熱アセンブリは、前記用量カートリッジが前記ホルダによって位置決めされたときに前記用量カートリッジの電気抵抗加熱要素に電流を加えるように構成された電極を備える、
請求項１〜１０のいずれか一項に記載の吸入装置。
【請求項１２】
前記搬送気流の流量率を示す少なくとも１種のパラメータを検出するよう配置及び構成された少なくとも１つのセンサ；ならびに
前記搬送気流の流量率を示す前記少なくとも１種のパラメータに基づいて、薬剤用の前記用量カートリッジの材料の加熱を制御するために機能的に接続された加熱コントローラ
を備える、請求項１〜１１のいずれか一項に記載の吸入装置。
【請求項１３】
前記搬送気流の流量率を示す少なくとも１種のパラメータを検出するよう配置及び構成された少なくとも１つのセンサを備え、
前記少なくとも１つのセンサは用量カートリッジ位置に近接している前記第１導管内に配置された圧力センサを含む、請求項１〜１２のいずれか一項に記載の吸入装置。
【請求項１４】
薬剤用の前記用量カートリッジの材料の加熱を制御するために機能的に接続された加熱コントローラ；ならびに
薬剤用の前記用量カートリッジの温度を検出するように配置された温度センサが備えられ、前記加熱コントローラが前記温度センサから温度の指示を受信し、前記温度の指示に基づいて前記少なくとも１つの弁を操作するために機能的に接続している、請求項１〜１３のいずれか一項に記載の吸入装置。
【請求項１５】
薬剤用の前記用量カートリッジの材料の加熱を制御するために機能的に接続された加熱コントローラを備え、
前記加熱コントローラは、前記ユーザによる吸入の開始が検出されたとき、又は前記搬送気流の流量率が閾値を上回るときに原薬放出を作動するように構成されている、請求項１〜１４のいずれか一項に記載の吸入装置。
【請求項１６】
前記第１及び第２導管から離れた経路を通る前記マウスピースにバイパス気流を導くように構成された第３導管が備えられ、前記第３導管を通る前記バイパス気流はバイパス弁によって制御され、前記バイパス弁を操作して前記第３導管を通る気流を制御するように機能的に接続されたバイパス弁コントローラをさらに備える、請求項１〜１５のいずれか一項に記載の吸入装置。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
発作活動について患者を監視する方法は、
筋電図検査用電極のデータを収集するように構成されたモバイルセンサユニットに含まれる１つまたは複数の筋電図検査用電極を使用して発作活動について患者を監視するステップと、
前記筋電図検査用電極のデータが、発作を有するリスクの上昇に関連する発作前運動症状の存在を示すかどうかを決定するステップと、
前記モバイルセンサユニットと基準デバイスとの間の交換信号を送信して、前記交換信号のうちの少なくとも１つの信号の受信信号強度と前記交換信号のうちの少なくとも１つの信号の受信信号品質とのうちのいずれかまたは両方に基づいて前記モバイルセンサユニットと前記基準デバイスとの間の通信の強度を決定するステップと、
発作を有するリスクの上昇に関連する前記発作前運動症状が検出された場合に、警告信号を介護者に送信するステップと、
発作を有するリスクの増大に関連する前記発作前運動症状が検出されるとともに通信の強度が閾値レベル未満である場合に、前記筋電図検査用電極のデータの一部分を前記基準デバイスに送信するステップと、を含み、
前記基準デバイスは、筋電図検査用電極のデータの前記一部分を受信し、前記介護者によって要求された場合に送信のために筋電図検査用電極のデータの前記一部分をキューに入れるように構成されている、方法。
【請求項２】
前記基準デバイスは、筋電図検査用電極のデータの前記一部分を前記介護者に伝送するのに適したネットワークに有線接続を介して接続されている、請求項１に記載の方法。
【請求項３】
前記モバイルセンサユニットと前記基準デバイスとの間の前記通信の強度が変化したときに前記交換信号を送信する速度を調整するステップをさらに含み、
前記交換信号を送信する速度を調整するステップは、前記通信の強度が増大するときは前記交換信号に含まれる個々の信号間の期間を減少させることと、前記通信の強度が低減するときは前記交換信号に含まれる個々の信号間の期間を増大させることと、を含む、請求項１に記載の方法。
【請求項４】
前記交換信号を送信する前記速度は、前記受信信号の強度及び前記受信信号の品質の線形関数としてスケーリングされる、請求項３に記載の方法。
【請求項５】
モバイルセンサと基準デバイスとの間の無線通信を検証または追跡するために使用される電力消費を調整する方法は、
前記モバイルセンサと前記基準デバイスとの間の第１の通信強度を決定するために第１の期間中に前記モバイルセンサと前記基準デバイスとの間で信号を交換するステップと、
前記第１の通信強度に基づいて信号交換の速度を設定するステップと、
前記モバイルセンサと前記基準デバイスとの間の第２の通信強度を決定するために前記モバイルセンサと前記基準デバイスとの間でさらなる信号を交換するステップと、
通信強度の変化を決定するために前記第１の通信強度と前記第２の通信強度とを比較するステップと、
通信強度の前記変化に基づいて信号交換の速度を調整するステップと、を含む、方法。
【請求項６】
前記第１の通信強度と前記第２の通信強度とを決定するステップは、受信信号の強度と受信信号の品質とのうちの少なくとも１つを計算することを含む、請求項５に記載の方法。
【請求項７】
前記モバイルセンサと前記基準デバイスとの間の信号を交換するステップ及び前記モバイルセンサと前記基準デバイスとの間のさらなる信号を交換するステップは、
前記モバイルセンサからの開始パルスを前記基準デバイスに伝送し、前記基準デバイスによる前記開始パルスの検出に応答して、前記基準デバイスから前記モバイルセンサに応答信号を伝送することを含む、請求項５に記載の方法。
【請求項８】
前記第１の通信強度及び前記第２の通信強度は、前記開始パルスの受信信号の強度及び受信信号の品質のうちの少なくとも１つに基づいて計算される、請求項７に記載の方法。
【請求項９】
信号交換の前記速度を調整する方法を前記モバイルセンサに通信するメッセージを前記基準デバイスから前記モバイルセンサに送信するステップを更に含む、請求項８に記載の方法。
【請求項１０】
前記モバイルセンサは、患者に取り付け可能であり、かつ前記筋電図検査用電極のデータを収集するように構成される筋電図検出デバイスに含まれる、請求項９に記載の方法。
【請求項１１】
前記基準デバイスは、携帯可能な基地局である、請求項１０に記載の方法。
【請求項１２】
請求項５に記載の方法は、通信の損失のリスクに関連する１つまたは複数のリスクメトリックを決定するように構成された１つまたは複数のルーチンを実行するステップをさらに含み、前記１つまたは複数のリスクメトリックは、通信の損失までの時間および通信境界までの距離のうちの少なくとも一方を含む、方法。
【請求項１３】
前記通信の損失までの時間は、経時的な通信強度についてのデータから得られた外挿値である、請求項１２に記載の方法。
【請求項１４】
請求項１２に記載の方法は、
前記モバイルセンサの移動データを収集して、１つまたは複数の基準点または接続不良の区域に関して前記モバイルセンサの１つまたは複数の近接度の値を決定するステップと、
前記移動データおよび前記１つまたは複数の近接度の値に基づいて前記通信の損失までの時間を決定するステップと、をさらに含む方法。
【請求項１５】
前記通信の損失のリスクに関連する１つまたは複数のリスクメトリックを決定するように構成された前記１つまたは複数のルーチンは複数のルーチンを含み、前記複数のルーチンは通信の損失までの時間の異なる推定値を決定するように構成されており、
前記通信の損失までの時間は、前記通信の損失までの時間の異なる推定値に基づく最悪の場合の値である、請求項１２に記載の方法。
【請求項１６】
前記通信の損失のリスクが、データが成功して伝送されることができないことを示す場合、前記モバイルセンサからの前記データの前記基準デバイスへの先制的伝送を行うステップをさらに含む、請求項１２に記載方法。
【請求項１７】
前記データは、前記モバイルセンサの位置データ、前記モバイルセンサの較正データ、前記モバイルセンサの測定データ、患者が発作を有するリスクが増大している状態にあることを示す可能性がある発作前運動症状、およびそれらの組み合わせから選択される、請求項１６に記載の方法。
【請求項１８】
請求項１２に記載の方法は、
ある期間に決定される通信強度の複数の値がその期間にわたり実質的に変化しないかを決定するステップと、
前記通信強度の値が前記期間にわたり実質的に変化しない場合に前記モバイルセンサの電力節約モードへの移行を開始するステップと、をさらに含む、方法。
【請求項１９】
前記モバイルセンサは、同モバイルセンサが電力節約モードにある場合、信号交換期間時にレスポンダとして動作するように構成されており、前記モバイルセンサは、前記電力節約モードにある場合、開始パルスの少数に応答するように構成されている、請求項１８に記載の方法。
【手続補正２】
【補正対象書類名】明細書
【補正対象項目名】発明の名称
【補正方法】変更
【補正の内容】
【発明の名称】センサと管理デバイスとの間の通信のための方法
【手続補正書】
【提出日】平成30年8月31日(2018.8.31)
【手続補正１】
【補正対象書類名】明細書
【補正対象項目名】００４９
【補正方法】変更
【補正の内容】
【００４９】
以下でより詳細に説明するように、デバイス１は、デバイス１のアクチュエータ１１および／または他の要素の動作を制御するように構成された電子コントローラ１６を含むことができる。電子コントローラ１６は、プロセッサ２８およびメモリ２９を含み、たとえば、システムバス（図示せず）を使用してデバイス１のアクチュエータ１１および／または他の要素に通信接続された電子マイクロコントローラを含むことができる。図２のデバイス１のブロック図にスイッチ１３、モータ１４、およびコントローラ１６を示すが、図１には図示しない。
【手続補正書】
【提出日】平成30年8月31日(2018.8.31)
【手続補正１】
【補正対象書類名】明細書
【補正対象項目名】００３８
【補正方法】変更
【補正の内容】
【００３８】
患者がカバーシート１９を引いて除去するときに、基材１６上の第２の粘着層１８から取り外すことにより、カバーシート１９のみがハウジング１１から離れ、基材１６がカバーシート１９に貼り付けられたままにならず、カバーシート１９に貼り付けられたハウジング１１の下側１１ｂから離れることが、デバイス１０の正しい使用のために重要であることが理解されよう。デバイス１０の正しい動作を確実にするために、第２の粘着層１８は、第１の粘着層１５が基材１６をハウジング１１の下側１１ｂに固定する力よりも弱い力で、カバーシート１９を基材１６に固定しなければならない。これをいくつかの方法で達成することができる。本発明の第１の配置において、第１の粘着層１５の全表面積は、第２の粘着層１８の全表面積より大きくてよい。例えば、ハウジング１１の下側１１ｂの周囲に沿った第１の粘着層１５のストリップの幅ｄ１５は、基材１６の周囲に沿った第２の粘着層１８のストリップの幅ｄ１８より大きくてよい。この配置は図２に示され、このことが第１および第２の粘着層１５、１８のそれぞれの陰影領域からわかる。また、ハウジング１１の下側１１ｂは、アパーチャ１４により占められた領域を除く表面全体にわたって、第１の粘着層１５の大きい領域を含む。代わりに、または加えて、第１の粘着層１５が第２の粘着層１８とは異なっていて、第１の粘着層１５が第２の粘着層１８より強力であるようにしてもよい。
【手続補正２】
【補正対象書類名】明細書
【補正対象項目名】００４９
【補正方法】変更
【補正の内容】
【００４９】
本発明の第１の実施形態と同様に、デバイス３０の正しい使用を確実にするために、第２の粘着層１８は、第３の粘着層３８が第１の基材１６を第２の基材３６に固定する力よりも弱い力で、カバーシート１９を第１の基材１６に固定しなければならない。同様に、第３の粘着層３８は、第１の粘着層１５が第２の基材３６をハウジング１１の下側１１ｂに固定する力よりも弱い力で、第１の基材１６を第２の基材３６に固定しなければならない。これをいくつかの方法で達成することができる。本発明の第１の配置において、第１の粘着層１５の全表面積は、第３の粘着層３８の全表面積より大きくてよく、この第３の粘着層３８の全表面積はそれ自体第２の粘着層１８の全表面積より大きい。例えば、ハウ
ジング１１の下側１１ｂの周囲に沿った第１の粘着層１５のストリップの幅ｄ１５は、第２の基材３の周囲に沿った第３の粘着層３８のストリップの幅ｄ３８より大きくてよく、この幅ｄ３８は、第１の基材１６の周囲に沿った第２の粘着層１８のストリップの幅ｄ１８より大きい。この配置が図５に示され、このことが第１、第３、および第２の粘着層１５、３８、１８のそれぞれの陰影領域からわかる。また、ハウジング１１の下側１１ｂは、アパーチャ１４により占められた領域を除く表面全体にわたって、第１の粘着層１５の大きい領域を含む。代わりに、または加えて、第１、第３、および第２の粘着層１５、３８、１８が異なる粘着層であって、第１の粘着層１５が第３の粘着層３８より強力であり、第３の粘着層３８が第２の粘着層１８より強力であるようにしてもよい。
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
第１の材料から形成されたディスクと、
第２の材料から形成されたリムとを備え、
前記ディスクは、ディスクの周縁部に沿って複数の開口を備え、
前記第２の材料は、前記複数の開口を通る成型接合部をなし、
前記ディスク及び前記リムが一体部品であり、
前記リムのショアＡデュロメータ硬度が約４０〜１１０である、ダイアフラム。
【請求項２】
前記リムが、
第１の端部及び第２の端部を有する壁部と、
前記壁部の前記第１の端部から実質的に垂直に延びるリップと、
前記壁部の前記第２の端部から実質的に垂直に延びるブリッジと、
前記ブリッジから延びるフォークとを備える、請求項１に記載のダイアフラム。
【請求項３】
前記リムがステップを更に備える、請求項１又は２に記載のダイアフラム。
【請求項４】
前記リムは、前記開口を埋める複数の接合部を備え、それぞれの接合部は前記フォークの第１のフランジと、前記フォークの第２のフランジをつなぐ、請求項２又は３に記載のダイアフラム。
【請求項５】
前記リムの患者に向く面は平らである、請求項４に記載のダイアフラム。
【請求項６】
前記第１の材料は、ポリエステル、繊維強化プラスチック、ガラス繊維、ポリカーボネート、炭素繊維複合材、ポリスチレン、及び金属で構成される群から選択された材料である、請求項１乃至５の何れか１項に記載のダイアフラム。
【請求項７】
チェストピースと、
請求項１乃至５の何れか１項に記載の一体型ダイアフラムを備える、聴診器。
聴診器。
【請求項８】
前記第１の一体型ダイアフラムが前記チェストピース上に位置付けられるとき、前記第１の一体型ダイアフラムが、内側位置と外側位置との間に位置付け可能であり、その結果、前記第１の一体型ダイアフラムが前記外側位置にあるとき、前記チェストピースは低周波音を通し、より高周波の音を段階的に減衰させ、前記第１の一体型ダイアフラムが前記内側位置にあるとき、前記チェストピースは低周波音を減衰させながら、より高周波の音は影響されないままにする、請求項７に記載の聴診器。
【請求項９】
前記チェストピース上に位置付け可能な第２の一体型ダイアフラムを更に備え、前記第２の一体型ダイアフラムが、
ディスクと、
リムとを備え、
前記リムのショアＡデュロメータ硬度が約４０〜１１０であり、
前記ディスク及び前記リムが一体部品である、請求項７又は８に記載の聴診器。
【請求項１０】
一体型ダイアフラムを作製する方法であって、
射出成型用金型を提供することと、
第１の材料から形成され、周縁部に沿って複数の開口を備えるディスクを提供することと、
射出成形用金型内に前記ディスクを位置付けることと、
第２の材料を提供することと、
前記第２の材料を加熱することと、
前記第２の材料を前記射出成型用金型の中かつ前記ディスクの周縁部に溶融成形して一体型ダイアフラムを形成すると共に、前記リム第２の材料を前記ディスクの周縁部の前記複数の開口内で射出成型し、前記ディスクの一方の側にあるリムの材料を、前記ディスクの他方の側にあるリムの材料に連結する複数の接合部を形成することと、
前記一体型ダイアフラムを前記射出成形用金型から取り出すこととを含む方法。
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
モジュール式外科手術用駆動ハブのための内側アセンブリであって、
前記内側アセンブリが、駆動アダプタ、内側ブレードアダプタ、および圧縮部材を備え、前記内側ブレードアダプタが、前記駆動アダプタ内に装着されると共に前記圧縮部材によって遠位方向に付勢され、前記駆動アダプタおよび前記内側ブレードアダプタが、回転力を前記駆動アダプタから前記内側ブレードアダプタへと伝達するためのキー溝及びキーを備え、
前記内側アセンブリが、前記モジュール式外科手術用駆動ハブ内に挿入され、前記モジュール式外科手術用駆動ハブの中に保持されるように構成される、内側アセンブリ。
【請求項２】
前記駆動アダプタが、前記内側ブレードアダプタおよび前記圧縮部材のうちの少なくとも一方を保持するように構成されている保持アームを備えること、
前記駆動アダプタが、内側ブレードからデブリスを受け取って前記デブリスをスラフチャンバーに渡すための溝を備えること、及び、
前記駆動アダプタが、封止リング上に配設されているタブによって前記モジュール式外科手術用駆動ハブのハウジング内に保持されるように構成されること、
のうちの少なくとも１つを含む、請求項1に記載の内側アセンブリ。
【請求項３】
前記圧縮部材が、コイルスプリングを備える、請求項1または2に記載の内側アセンブリ。
【請求項４】
前記駆動アダプタが、モーター駆動ユニット(MDU)によって駆動されるように構成される、請求項1から3のうちの何れか一項に記載の内側アセンブリ。
【請求項５】
前記内側ブレードアダプタが、内側ブレードの保持および操作のうちの少なくとも一方を行うように構成される、請求項1から4のうちの何れか一項に記載の内側アセンブリ。
【請求項６】
前記内側ブレードアダプタが、前記キーを備え、前記駆動アダプタが、前記キー溝を備える、請求項1から5のうちの何れか一項に記載の内側アセンブリ。
【請求項７】
前記駆動アダプタが、前記キーを備え、前記内側ブレードアダプタが、前記キー溝を備える、請求項1から5のうちの何れか一項に記載の内側アセンブリ。
【請求項８】
前記ハウジング内で前記内側ブレードアダプタを安定化するように構成されている少なくとも1つのブッシングをさらに備える、請求項1から7のうちの何れか一項に記載の内側アセンブリ。
【請求項９】
前記ハウジング内で内側ブレードのためのスラストベアリング面を形成するように構成されている少なくとも1つのブッシングをさらに備える、請求項1から7のうちの何れか一項に記載の内側アセンブリ。
【請求項１０】
内側ブレードは、切削工具およびバーリング工具のうちの一方を備える、請求項1から9のうちの何れか一項に記載の内側アセンブリ。
【請求項１１】
通路を含むハウジングを備えるモジュール式外科手術用駆動ハブであって、
外側ブレードが、前記通路の中に付着されており、前記外側ブレードが、前記ハウジングから先端部へ遠位に延在し、前記ハウジングが、内側アセンブリを備えるチャンバーをさらに具備し、
前記内側アセンブリが、駆動アダプタ、内側ブレードを有する内側ブレードアダプタ、および圧縮部材を備え、前記内側ブレードアダプタが、前記駆動アダプタ内に装着されると共に前記圧縮部材によって遠位方向に付勢され、前記駆動アダプタおよび前記内側ブレードアダプタが、回転力を前記駆動アダプタから前記内側ブレードアダプタへと伝達するためのキー溝及びキーを備え、
前記内側ブレードが、前記外側ブレード内に配設され、前記外側ブレードの前記先端部へ遠位に延在する、モジュール式外科手術用駆動ハブ。
【請求項１２】
前記内側アセンブリが、封止リングによって前記ハウジング内に保持される、請求項11に記載のモジュール式外科手術用駆動ハブ。
【請求項１３】
前記ハウジングを少なくとも部分的に囲んでモーター駆動ユニット(MDU)とラッチングするように構成されているラッチをさらに備え、任意で、前記ラッチが、前記ラッチングを行うように構成されている少なくとも1つのスプリングアームを備えるか、或いは、前記ラッチが、前記ハウジングの回転運動を制限するように構成されている少なくとも1つのガイドを備える、請求項11または12に記載のモジュール式外科手術用駆動ハブ。
【請求項１４】
モーター駆動ユニットと、
外科手術器具の中に配設されているモジュール式外科手術用駆動ハブであって、前記モジュール式外科手術用駆動ハブが、通路を備えるハウジングを具備し、外側ブレードが、前記通路の中に付着されており、前記外側ブレードが、前記ハウジングから先端部へ遠位に延在し、前記ハウジングが、内側アセンブリを備えるチャンバーをさらに具備する、モジュール式外科手術用駆動ハブとを備え、
前記内側アセンブリが、駆動アダプタ、内側ブレードを有する内側ブレードアダプタ、および圧縮部材を備え、前記内側ブレードアダプタが、前記駆動アダプタ内に装着されると共に前記圧縮部材によって遠位方向に付勢され、前記駆動アダプタおよび前記内側ブレードアダプタが、回転力を前記駆動アダプタから前記内側ブレードアダプタへと伝達するためのキー溝及びキーを備え、
前記内側ブレードが、前記外側ブレード内に配設され、前記外側ブレードの前記先端部へ遠位に延在する、
外科手術器具。
【請求項１５】
前記内側ブレードは、切削工具およびバーリング工具のうちの一方を備える、請求項14に記載の外科手術器具。
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
皮膚組織のハイドレーション状態を測定する非干渉的ＰＰＧモニタリングデバイスであって、当該デバイスは、
第１の波長範囲を示す第１のＰＰＧ信号、第２の波長範囲を示す第２のＰＰＧ信号、及び第３の波長範囲を示す第３のＰＰＧ信号を少なくとも含む、複数のＰＰＧ信号を含むデータストリームを受信するインターフェースと、
前記複数のＰＰＧ信号から選択される信号の第１の対に基づく第１の結合信号、及び複数のＰＰＧ信号から選択される信号の第２の対に基づく第２の結合信号を少なくとも計算する処理ユニットであって、前記第１の結合信号又は前記第２の結合信号の少なくとも一方のＰＰＧ信号が、組織ハイドレーションレベルに依存し、モニタされる皮膚組織の水分蓄積にかなり敏感であり、他方の結合信号の前記ＰＰＧ信号が、モニタされる皮膚組織の水分蓄積に敏感でない処理ユニットと、
前記第１の結合信号及び前記第２の結合信号から導出される、皮膚ハイドレーションを示すハイドレーション信号を計算する解析ユニットと、を含む、デバイス。
【請求項２】
前記解析ユニットはさらに、前記第１の結合信号と前記第２の結合信号とをマッチングさせ、信号のマッチングに基づいて前記ハイドレーション信号を計算する、請求項１に記載のデバイス。
【請求項３】
前記解析ユニットはさらに、前記第２の結合信号に対する可変較正定数を修正することにより、前記第１の結合信号に対する較正定数の所定のセットを考慮して前記ハイドレーション信号を計算する、請求項２に記載のデバイス。
【請求項４】
前記解析ユニットはさらに、前記ハイドレーション信号の経時的な相対変化を連続又は準連続的にモニタする、請求項１に記載のデバイス。
【請求項５】
前記処理ユニットはさらに、較正定数の第１の所定のセットを考慮して少なくとも前記第１の結合信号を計算し、較正定数の第２の所定のセットを考慮して少なくとも前記第２の結合信号を計算し、前記解析ユニットはさらに、皮膚ハイドレーションレベルの基準値、及び少なくとも前記第１の結合信号と少なくとも前記第２の結合信号との間の検出された相違に基づいて前記ハイドレーション信号を計算する、請求項１に記載のデバイス。
【請求項６】
前記解析ユニットは、基準測定から取得される基準値のデータセットに基づいて絶対組織ハイドレーションレベル値をモニタする、請求項５に記載のデバイス。
【請求項７】
前記第１の波長範囲は赤色波長範囲から選択され、前記第２の波長範囲は近赤外波長範囲から選択され、前記第３の波長範囲は深赤外波長範囲から選択され、前記第３の波長範囲は、前記第２の波長範囲より大きい波長を含む、請求項１に記載のデバイス。
【請求項８】
前記複数のＰＰＧ信号はさらに、第４の波長範囲を示す少なくとも第４のＰＰＧ信号を含み、前記第４の波長範囲は、赤色波長帯域及び近赤外波長帯域に及ぶ波長領域から選択され、好ましくは、前記第４の波長範囲は、前記深赤外波長範囲から選択される、請求項７に記載のデバイス。
【請求項９】
前記第１の結合信号及び前記第２の結合信号は、それぞれ酸素飽和度を示す信号である、請求項１に記載のデバイス。
【請求項１０】
前記第１の結合信号及び前記第２の結合信号は、それぞれ、前記複数のＰＰＧ信号から選択される第１の選択信号及び前記複数のＰＰＧ信号から選択される第２の選択信号の比率を含む、請求項１に記載のデバイス。
【請求項１１】
前記第１の結合信号及び前記第２の結合信号は、それぞれ、前記複数のＰＰＧ信号から選択される前記第１の選択信号の時間変化する成分及び前記複数のＰＰＧ信号から選択される前記第２の選択信号の時間変化する成分の比率を含む、請求項１０に記載のデバイス。
【請求項１２】
前記第１の結合信号は、組織ハイドレーションレベルに依存し、前記第２の結合信号の少なくとも１つのＰＰＧ信号は、前記第１の結合信号のＰＰＧ信号よりも組織ハイドレーションレベルへの依存度が好ましくは少なくとも２．０倍、より好ましくは５．０倍増大して高い、請求項１に記載のデバイス。
【請求項１３】
前記デバイスはさらに、センサユニット、具体的には画像データを遠隔的に捕捉する撮像ユニットを有し、前記センサユニットはさらに、前記第１の波長範囲を示す第１のＰＰＧ信号、第２の波長範囲を示す第２のＰＰＧ信号、第３の波長範囲を示す第３のＰＰＧ信号を少なくとも含む複数のＰＰＧ信号を含むデータストリームを提供し、前記ＰＰＧ信号は、捕捉された前記画像データから導出可能な各波長範囲を表す、請求項１に記載のデバイス。
【請求項１４】
皮膚組織のハイドレーション状態を測定する非干渉的ＰＰＧモニタリング方法であって、当該方法は、
第１の波長範囲を示す第１のＰＰＧ信号、第２の波長範囲を示す第２のＰＰＧ信号、第３の波長範囲を示す第３のＰＰＧ信号を少なくとも含む複数のＰＰＧ信号を含むデータストリームを受信するステップと、
複数のＰＰＧ信号から選択される信号の第１の対に基づく第１の結合信号、及び前記複数のＰＰＧ信号から選択される信号の第２の対に基づく第２の結合信号を少なくとも計算するステップであって、前記第１の結合信号又は前記第２の結合信号の少なくとも一方のＰＰＧ信号が、組織ハイドレーションレベルに依存し、モニタされる皮膚組織の水分蓄積にかなり敏感であり、他方の結合信号の前記ＰＲＧ信号が、モニタされる皮膚組織の水分蓄積に敏感でないステップと、
前記第１の結合信号及び前記第２の結合信号から導出される、皮膚ハイドレーションを示すハイドレーション信号を計算するステップと、を含む、方法。
【請求項１５】
コンピュータプログラムがコンピュータ上で実行される時に、請求項１４に記載の方法のステップをコンピュータに実行させるためのプログラムコード手段を含む、コンピュータプログラム。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
患者の心臓を超音波イメージングするための医療イメージングシステムであって、
前記心臓に隣接する前記患者の食道に位置付けられる経食道プローブであって、前記心臓をスキャンするように動作可能な超音波トランスデューサを有し、前記経食道プローブが更に少なくとも１つの心房電極を有し、各心房電極が、前記心臓の心房による電気活動を主に示す心房心電図信号を生成する、経食道プローブと、
患者の表面胸部の領域に取り付けられる少なくとも１つの心室電極であって、各心室電極が、前記心臓の心室による電気活動を主に示す心室心電図信号を生成する、心室電極と、
前記少なくとも１つの心房電極による少なくとも１つの心房心電図信号の生成に応じて及び前記少なくとも１つの心室電極による少なくとも１つの心室心電図信号の生成に応じて、前記心臓の心電図波形を生成する心電図マシンであって、前記心電図マシンは更に、前記心電図波形の周期的な心臓位相期間を示す心臓ゲーティング信号を生成する、心電図マシンと、
前記超音波トランスデューサによる前記心臓の超音波スキャニングに応じて及び前記心電図マシンによる前記心臓ゲーティング信号の生成に応じて、前記心電図の前記周期的な心臓位相期間の少なくとも部分を含む前記心臓の少なくとも１つの超音波画像を再構成する超音波マシンと、
を有する医療イメージングシステム。
【請求項２】
前記心電図マシンは、前記心電図波形の正常心房位相から又は前記心電図波形の正常心室位相から、前記周期的な心臓位相期間を導出する心臓位相モニタを有する、請求項１に記載の医療イメージングシステム。
【請求項３】
前記心電図マシンは、前記心電図波形の心房不整脈位相から前記周期的な心臓位相期間を導出する心房不整脈モニタを有する、請求項１に記載の医療イメージングシステム。
【請求項４】
前記心電図マシンは、前記少なくとも１つの心房心電図信号のみから前記心電図波形の心房位相を導出する心臓位相モニタを有する、請求項１に記載の医療イメージングシステム。
【請求項５】
前記心電図マシンは、
１対の心房電極から導き出されるバイポーラ信号に関して、又は
心房電極及び心室電極から導き出されるバイポーラ信号に関して、又は
前記少なくとも１つの心房電極及び前記少なくとも１つの心室電極の組み合わせから導き出される信号に関して、
前記心電図波形を生成する、請求項１に記載の医療イメージングシステム。
【請求項６】
各心房電極が、前記経食道プローブ上に外的に配置されるリード電極であり、
前記経食道プローブは、前記経食道プローブの長手軸と平行な、複数の心房電極の配置を含み、又は、前記経食道プローブの長手軸に対し垂直な、複数の心房電極の配置を含む、請求項１に記載の医療イメージングシステム。
【請求項７】
各心房電極は、前記経食道プローブの周りに外的に配されたリング電極である、請求項１に記載の医療イメージングシステム。
【請求項８】
前記超音波マシンは、周期的なスキャニング期間中、前記超音波トランスデューサによる前記心臓の超音波スキャニングを制御するスキャナを有し、前記スキャナは、前記周期的な心臓位相期間から前記周期的なスキャニング期間を導き出す、請求項１に記載の医療イメージングシステム。
【請求項９】
前記超音波マシンは、周期的な画像再構成期間中、前記心臓の超音波画像を画像再構成する画像再構成器を有し、前記画像再構成器は、前記周期的な心臓位相期間から前記周期的な画像再構成期間を導き出す、請求項１に記載の医療イメージングシステム。
【請求項１０】
前記画像再構成器は、より大きい３次元超音波シネループがより小さいサブボリュームから作られるように、前記周期的な画像再構成期間を導き出す、請求項９に記載の医療イメージングシステム。
【手続補正書】
【提出日】平成30年8月29日(2018.8.29)
【手続補正１】
【補正対象書類名】特許請求の範囲
【補正対象項目名】請求項１
【補正方法】変更
【補正の内容】
【請求項１】
遠隔虚血コンディショニング（ＲＩＣ）および少なくとも１つの第２の医療処置を行うように構成されている医療装置を動作させる方法であって、
前記医療装置の少なくとも１つのプロセッサを動作させることによって、
前記医療装置を用いて患者に少なくとも１つの第２の医療処置のうちの１つまたは複数を実行している間に患者の１つまたは複数の生物学的特性を監視する動作と、
前記医療装置を用いて前記患者にＲＩＣを実行する方法を特定するために前記１つまたは複数の生物学的特性を評価する動作と、
評価の結果として特定された方法で前記患者にＲＩＣを実行するように前記医療装置を構成する動作と、
を行うことからなる方法。
【手続補正２】
【補正対象書類名】明細書
【補正対象項目名】発明の名称
【補正方法】変更
【補正の内容】
【発明の名称】遠隔虚血コンディショニングを行うシステムが組み込まれている医療装置、医療装置を動作させる方法、コンピュータ可読記憶媒体、台、及び自動体外式除細動器
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
５〜１３ｍｍに及ぶ長さを有し、かつ、第１の制御刃の細長い縁部と平行に位置付けられた切断刃の細長い縁部によって形成された４〜１０ｍｍに及ぶ長さを有する遠位端を有する細長い頭部を備えるデバイスであって、
前記第１の制御刃および前記切断刃のそれぞれの細長い縁部は、０．０２〜０．２ｍｍに及ぶ幅を有し、かつ、前記頭部の前端から後端まで走る細長いチャネルに遠位開口を形成する均一な隙間によって分離され、
前記切断刃の細長い縁部は、前記第１の制御刃の細長い縁部を超えて遠位に延在し、前記切断刃の細長い縁部と前記第１の制御刃の細長い縁部との間に０．０５〜０．５ｍｍに及ぶ高低差を提供し、
前記切断刃の細長い縁部は鋭く、１０°〜５０°に及ぶ鋭角を形成する外縁を有し、かつ身体組織を切断するように構成され、
前記第１の制御刃の細長い縁部は鈍く、０．０５〜０．１ｍｍに及ぶ半径を有する丸みのある角部を形成する外縁を有し、かつ、前記切断刃の細長い縁部の前記身体組織内への侵入深さを制限する障壁を形成するように構成される、デバイス。
【請求項２】
前記第１の制御刃の細長い縁部は、前記切断刃の細長い縁部に対して不均一な高低差を有する帯を備え、
前記隙間の幅および前記高低差の組み合わせは、前記切断刃の縁部の侵入深さを画定し、
前記身体組織の表面に対する前記頭部の角度の配向は、前記切断刃の縁部の侵入深さをさらに画定する、請求項１に記載のデバイス。
【請求項３】
前記高低差は、前記第１の制御刃および前記切断刃の細長い縁部の中央部においてより小さく、前記第１の制御刃および前記切断刃の細長い縁部の周辺部においてより大きい、請求項２に記載のデバイス。
【請求項４】
前記第１の制御刃の細長い縁部は、角膜の表面を平らにするために前記角膜上を圧迫するように構成され、前記隙間は、平らにされた角膜を包囲し、かつその中に包囲された平らにされた角膜が自然に凸形状に立ち戻るのを防ぐように構成される、請求項１に記載のデバイス。
【請求項５】
前記細長いチャネルは、前記第１の制御刃および前記切断刃の２つの対面する内壁によって包囲される、請求項１に記載のデバイス。
【請求項６】
前記内壁は凹状であり、凹状の内壁によって形成された細長いチャネルは、広い近位基部および狭い遠位開口を有する袋状断面を有し、前記チャネルは、剥離された上皮組織および放出された残留物のあらゆる組み合わせを収集するように構成される、請求項５に記載のデバイス。
【請求項７】
前記チャネルは、流体を吸収するのに適している吸収性物質で少なくとも部分的に被覆される、請求項６に記載のデバイス。
【請求項８】
前記チャネルは、前記チャネルの内壁内に組み込まれ、かつ前記第１の制御刃および前記切断刃の細長い縁部に平行に延在し、かつ前記チャネルの内壁の表面積を増加させる１つ以上の細長い溝とともに配置される、請求項７に記載のデバイス。
【請求項９】
前記溝は、前記チャネルの様々な高さに配置される、請求項８に記載のデバイス。
【請求項１０】
前記１つ以上の細長い溝は、流体を吸収するのに適している吸収性物質とともに配置される、請求項９に記載のデバイス。
【請求項１１】
前記近位基部は、係合されたハンドルを解放するように構成される、請求項１０に記載のデバイス。
【請求項１２】
前記頭部は、前記頭部を固定するように構成される１つ以上の突起と係合するように構成される１つ以上の凹部とともに配置され、前記凹部は前記頭部の近位端に配置され、前記突起と係合することは前記刃の遠位縁部と接触を全く持たないことを含む、請求項１に記載のデバイス。
【請求項１３】
前記頭部の前端は先細であり、かつ、前記第１の制御刃および前記切断刃の外部に凸状の前壁および丸みのある前遠位角部によって形成される、請求項１に記載のデバイス。
【請求項１４】
前記第１の制御刃の前遠位の丸みのある角部の一部は空洞にされ、前記チャネルの前側開口を備える狭い溝を形成する、請求項１３に記載のデバイス。
【請求項１５】
前記デバイスは第２の制御刃をさらに備え、前記切断刃は両刃であり、前記第１の制御刃および前記第２の制御刃は両刃の切断刃の両側に配置される、請求項１に記載のデバイス。
【請求項１６】
前記隙間の幅は、角膜と前記チャネルとの間の接触領域で毛細管力をもたらす大きさにされる、請求項１に記載のデバイス。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
医用画像データを評価するための医用イメージング装置であって、
- 患者の超音波画像データを収集するための超音波プローブを含む超音波収集ユニットと、
- 前記超音波画像データにおける前記患者の解剖学的特徴をセグメント化し、超音波セグメント化データを提供するための超音波セグメント化ユニットと、
- 前記患者の3D医用画像データを受信するための画像データインターフェースと、
- 前記3D医用画像データをセグメント化し、医用画像セグメント化データを提供するための医用画像セグメント化ユニットと、
-ユーザによって特定される位置に基づいて前記医用画像セグメント化ユニット及び／又は前記超音波セグメント化ユニットによって前記解剖学的特徴の前記セグメント化を開始するために、前記3D医用画像データ及び／又は前記超音波画像データにおいて前記ユーザによって入力された前記位置を特定するように構成されるユーザ入力インタフェースであって、前記解剖学的特徴の前記セグメント化が、それぞれの画像データにおいて特定される前記位置に隣接するか、又は前記位置を囲むデータにおいて実行される、当該ユーザ入力インタフェースと、
- 前記超音波セグメント化データ及び前記医用画像セグメント化データを相関させるためのレジストレーションユニットと
を有する、医用イメージング装置。
【請求項２】
前記超音波プローブの前記位置を決定するために前記超音波プローブに付けられる位置決定ユニットと、前記レジストレーションユニットから受信される前記セグメント化データの前記相関に基づいて前記超音波プローブの前記位置を較正するための較正ユニットとを更に有する、請求項1に記載の医用イメージング装置。
【請求項３】
前記位置決定ユニットによって決定される前記超音波プローブの前記位置に基づく、前記超音波画像データ及び前記3D医用画像データの融合のための融合ユニットを更に有する、請求項２に記載の医用イメージング装置。
【請求項４】
前記解剖学的特徴は、前記特定される位置の近くにおける表面になる、請求項１に記載の医用イメージング装置。
【請求項５】
前記解剖学的特徴は、前記患者の脈管である、請求項４に記載の医用イメージング装置。
【請求項６】
前記超音波セグメント化ユニット及び前記医用画像セグメント化ユニットは、前記脈管の中心線及び／又は分岐を決定するように構成され、前記レジストレーションユニットは、前記脈管の前記決定される中心線及び／又は分岐に基づいて、前記超音波画像データ及び前記3D医用画像データをレジストレーションするように構成される、
請求項５に記載の医用イメージング装置。
【請求項７】
前記ユーザ入力インタフェースは、前記3D医用画像データ及び／又は前記超音波画像データを表示するためのディスプレイユニットを有し、前記ユーザインタフェースは、前記ディスプレイユニットにおいて前記3D医用画像データ及び／又は前記超音波画像データの前記位置を特定するための入力デバイスを有する、請求項1に記載の医用イメージング装置。
【請求項８】
前記入力デバイスは、前記表示画像データ内で前記ディスプレイユニットにおいて表示されるインジケータの位置を制御し、ユーザ入力及び前記インジケータの前記位置に基づいて、前記表示画像データにおける前記位置を特定するように構成される、請求項７に記載の医用イメージング装置。
【請求項９】
前記ディスプレイユニットは、ユーザ入力による前記表示画像データにおける前記位置を特定するための接触感知表面を有する、
請求項７に記載の医用イメージング装置。
【請求項１０】
前記3D医用画像データは、メモリデバイスに記憶される事前収集画像データである、請求項1に記載の医用イメージング装置。
【請求項１１】
前記3D医用画像データは、MR画像データ、CT画像データ、コーン-ビームCT画像データ又は超音波画像データである、請求項1に記載の医用イメージング装置。
【請求項１２】
医用画像データを評価するための医用画像評価方法であって、
-患者の超音波画像データを収集するステップと、
-前記患者の3D医用画像データを受信するステップと、
-ユーザ入力インタフェースを介してユーザによって前記3D医用画像データ及び／又は前記超音波画像データにおいて位置を特定するステップと、
- 前記超音波画像データにおいて前記患者の解剖学的特徴をセグメント化し、前記解剖学的特徴の超音波セグメント化データを提供するステップと、
- 前記3D医用画像データの解剖学的特徴をセグメント化し、医用画像セグメント化データを提供し、
前記ユーザによって特定される前記位置に基づいて前記超音波データ及び／又は前記3D医用画像データにおける前記解剖学的特徴の前記セグメント化が開始され、それぞれの画像データにおいて特定される前記位置に隣接するか、又は前記位置を囲むデータにおいて実行される、ステップと、
- 前記超音波セグメント化データ及び前記医用画像セグメント化データを相関させるステップと
を有する、医用画像評価方法。
【請求項１３】
コンピュータ上で実行されるとき、前記コンピュータに、請求項１２に記載の方法のステップを実行させるためのプログラムコード手段を有する、コンピュータプログラム。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
降下ライフラインに連結されるように設計及び構成された支持構造連結アセンブリであって、
様々な種類のライフライン及びランヤードを、前記支持構造連結アセンブリに連結するように設計及び構成されている、アダプタ接続部材を含む、支持構造連結アセンブリと、
前記支持構造連結アセンブリと選択的に連結される制御降下装置であって、ユーザーが着用する安全ハーネスと連結されるように設計及び構成され、前記制御降下装置は、降下ライフラインの繰り出しを行いながら降下操作を行う間に、前記支持構造連結アセンブリから分離するように更に設計されている、制御降下装置と、を備える、個人用降下システム。
【請求項２】
降下ライフラインと、
支持構造連結アセンブリであって、
ラッチアーム取り付け開口部を含む主要接続部材であって、前記降下ライフラインは前記主要接続部材に連結されている、主要接続部材、及び
前記主要接続部材に連結されたＤリングを含む支持構造連結アセンブリと、
制御降下装置であって、
ユーザーが着用する安全ハーネスに連結されるように設計及び構成された、ハウジング、
前記ハウジングに枢動可能に連結されたラッチアームであって、前記支持構造連結アセンブリを前記制御降下装置に選択的に連結するために、前記主要接続部材の前記ラッチアーム取り付け開口部内に選択的に受容される、ラッチアーム、
前記ハウジング内に受容されるブレーキアセンブリであって、前記降下ライフラインの繰り出しを制御するために、前記降下ライフラインと係合しているブレーキアセンブリ、及び
前記ラッチアームを選択的に解放して、前記ハウジングに対して枢動させることで、前記ラッチアームが前記主要接続部材の前記ラッチアーム取り付け開口部から外れるように、設計及び構成された自己展開システムを含む、制御降下装置と、を備える、個人用降下システム。
【請求項３】
降下ライフラインと、
支持構造連結アセンブリであって、
ラッチアーム取り付け開口部を含む主要接続部材であって、前記降下ライフラインは前記主要接続部材に連結されている、主要接続部材、及び
前記主要接続部材に連結されたアダプタ接続部材であって、支持ライフラインを前記支持構造連結アセンブリに連結するように設計及び構成されている、アダプタ接続部材を含む支持構造連結アセンブリと、
制御降下装置であって、
ハウジングであって、一対の離間した降下接続アームが前記ハウジングから延びており、前記一対の離間した降下接続アームは、位置合わせされた配索開口部を有している、ハウジング、
前記降下接続アームの間で枢動可能に連結されたラッチアームであって、前記支持構造連結アセンブリを前記制御降下装置に選択的に連結するために、前記主要接続部材の前記ラッチアーム取り付け開口部に選択的に受容される、ラッチアーム、及び
前記ハウジング内に収容されたブレーキシステムであって、前記降下ライフラインの繰り出しを少なくとも部分的に制御するために、前記降下ライフラインと係合しているブレーキシステムを含む、制御降下装置と、
前記降下ライフラインの少なくとも一部を保持するためのスプールであって、前記降下ライフラインは、前記スプールから前記ハウジングの入口に入り、前記ハウジングの前記ブレーキシステムを通り、前記ハウジングの出口から出て、前記降下接続アームの前記位置合わせされた配索開口部を通り、前記主要コネクタ部材まで配索されているスプールと、を備える、個人用降下システム。
【請求項４】
降下ライフラインと、
降下ライフラインに連結されるように設計及び構成された、支持構造連結アセンブリと、
前記支持構造連結アセンブリに選択的に連結される制御降下装置であって、前記制御降下装置は、
ユーザーが着用する安全ハーネスと連結されるように設計及び構成されたハウジングであって、前記降下ライフラインが前記ハウジングに入るための入口経路、及び前記ハウジングから出るための出口経路を有する、ハウジング、
前記ハウジングの前記出口付近に位置付けられた分離シール、
前記ハウジング内に受容されるブレーキアセンブリであって、前記降下ライフラインの繰り出しを制御するために、前記降下ライフラインと係合している、ブレーキアセンブリ、及び
前記制御降下装置を前記支持構造連結アセンブリから選択的に分離するように設計及び構成された、自己展開システムを含む、制御降下装置と、
前記降下ラインの少なくとも一部を保持するように設計及び構成されたスプールであって、前記降下ライフラインが前記スプールから前記ハウジングへの前記入口経路へと入る、スプールと、
湿分及びくずが、前記スプール上の前記降下ライフラインに到達するのを防ぐように、前記スプールの周囲に位置付けられた、封止容器と、を備える、個人用降下システム。